(57)【要約】      （修正有）【課題】雨水貯留浸透槽などを構成する配置物で、内部が見通せ、貯蔵・運搬の便に優れた板状部材を提案する。【解決手段】戴錐形状の筒体６と中央部の両側に凹部を設け当該凹部により筒体の上下に接続可能とする４角形状の第1板状部材４および端部を切り欠いた十字状の第２板状部材５と壁材７、片側が階段状とされた天井部材１ならびに天井部材１の階段部に嵌合する第１補助板部材２、第１、第２板状部材凹部に嵌合する第２補助板部材３とからなり、上部より下部に向かい天井部材１、第１補助板部材２、第２補助板部材３の下部に第１板状部材４、広部を上向きにした筒体６、狭部を上向きにした筒体６を対となし、当該対を１ないし複数繰り返し配列し第１板状部材４および第２補助部材３の順に配列することにより貯留空間を構成する。【選択図】図１
2007332694.tif 000002
【特許請求の範囲】
【請求項１】
戴錐形状の筒体と中央部の両側に凹部を設け当該凹部により筒体の上下に接続可能とする４角形状の第1板状部材および端部を切り欠いた十字状の第２板状部材と壁材、縁部が階段状とされた天井部材ならびに天井部材の階段部に嵌合する第１補助板部材、第１板状部材および第２板状部材凹部に嵌合する第２補助板部材とからなり、以下の（１）および（２）の手順でそれぞれ外周部および内部を組み立てた雨水等の貯留用空間。
（１）上部より下部に向かい天井部材、第１補助板部材、第２補助板部材の下部に第１板状部材、広部開口部を上向きにした筒体、底部を上向きにした筒体を対となし、当該対を１ないし複数繰り返し配列し第１板状部材および第２補助板部材の順に配列する。
（２）上部より下部に向かい天井部材、第１補助板部材、第２補助板部材の下部に第１板状部材、広部開口部を上向きにした筒体、底部を上向きにした筒体を対となし当該対を上記（１）と同数配列し第１板状部材および第２補助板部材の順に配列する。
【発明の詳細な説明】
【技術分野】
【０００１】
本発明は、ユニット部材を配置した雨水の貯留・浸透施設などの技術に属する。
【背景技術】
【０００２】
雨水の流出抑制を目的として、プラスチックなどで製造された容器状、テーブル状あるいはパイプ状部材などのユニット部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。それらの一例を図５に示す。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。これら部材は、また軽量盛土材その他としての用途が提案されている。
【０００３】
本発明は、従来の部材と異なる形状の板状部材からなるユニット部材の提案と、このユニット部材を用いた雨水等の貯留空間を利用した雨水貯留／浸透槽などの提案にある。
【０００４】
【特許文献１】特開昭62-101097
【特許文献２】特開昭62-126179
【特許文献３】特開平9-296486
【特許文献４】特開平11-43971
【特許文献５】特開平10-115778
【発明の開示】
【発明が解決しようとする課題】
【０００５】
本願発明は、雨水貯留浸透槽などの元となる雨水等の貯留空間を構成し、貯留空間の内部が見通せ、貯蔵・運搬の便に優れた新規の単位部材の提案にある。
【課題を解決するための手段】
【０００６】
本発明は、戴錐形状の筒体と中央部の両側に凹部を設け当該凹部により筒体の上下に接続可能とする４角形状の第1板状部材および端部を切り欠いた十字状の第２板状部材と壁材、縁部が階段状とされた天井部材ならびに天井部材の階段部に嵌合する第１補助板部材、第１板状部材および第２板状部材凹部に嵌合する第２補助板部材とからなり、以下の（１）および（２）の手順でそれぞれ外周部および内部を組み立てた雨水等の貯留用空間である。
（１）上部より下部に向かい天井部材、第１補助板部材、第２補助板部材の下部に第１板状部材、広部開口部を上向きにした筒体、底部を上向きにした筒体を対となし、当該対を１ないし複数繰り返し配列し第１板状部材および第２補助板部材の順に配列する。
（２）上部より下部に向かい天井部材、第１補助板部材、第２補助板部材の下部に第１板状部材、広部開口部を上向きにした筒体、底部を上向きにした筒体を対となし当該対を上記（１）と同数配列し第１板状部材および第２補助板部材の順に配列する。
【発明の効果】
【０００７】
部材の形状を板状部とその板状部材に接続可能とする戴錐形状の筒体としたため、筒状部を並べた配置物は筒状部間に隙間が生じ、その隙間を介し内部を直線的に見通すことができる。板状部材および戴錐形状の筒体は積み重ね可能で運搬、貯蔵の便がよい。
【発明を実施するための最良の形態】
【０００８】
以下、本発明を、図を用いてより詳細に説明する。
図１は、図２に示す部材を組み合わせて形成した雨水等の貯留空間の断面図である。
図２は、本発明を構成する部材の例を示す図である。ａは天井部材、ｂは第１補助板部材、ｃは第２補助板部材、ｄは第１板状部材、ｅは筒体、ｆは第２板状部材、ｇは壁材である。これらの部材を組み合わせ、雨水等を貯留する空間を構成するものである。
【０００９】
図３は上記部材の組み立て配列を示す図である。外側および内側を並べて示している。貯留空間の外側と内部とではこれらの部材の使用位置が異なる。
外側は図１に示すとおり、上部より下部に向かい天井板材、第１補助板部材、第２補助板部材の下部に第１板状部材、広部開口部を上向きにした筒体、底部を上向きにした筒体を対となし、当該対を図では２回繰り返し配列し第１板状部材および第２補助部材の順に基礎上に配列する。
【００１０】
内側は、図１に示すとおり、上部より下部に向かい天井板材、第１補助部材、第２補助部材の下部に第１板状部材、広部を上向きにした筒体、狭部を上向きにした筒体を対となし当該対を上記（１）と同数回配列し第１板状部材および第２補助部材の順に基礎上に配列する。
【００１１】
天井部材は本貯留空間を地下に構成したときに、土被り圧を支えるものであり、相対的に強度を持たせる必要のある部材である。天井部材は平板状で、中心部が厚くなるよう階段状に構成されている。天井部材の４隅を筒体で支えるように配置する。第１補助部材は天井部材の受ける土被り荷重を筒体の中心部に広く掛かるように設けたものである。
【００１２】
第２補助部材は、第１板状部材と筒体あるいは第２板状部材と筒体を接続するとき、図１に示すような空間が板状部材と筒体との接続面の反対側が空間となるのを防ぐためのものである。荷重が上から下まで伝わるよう嵌合するものである。
【００１３】
第１板状部材は４角形の板状でその両側中心部に凹部が設けられ、筒体の広開口部および底部がそれぞれ結合可能とされている。図では、筒体および板状部材にオスメスの継ぎ手を設けている。槽を構成する外側部および天井部の強度を高めるため使用される。第1板状部材、第2板状部材と壁材との結合はそれぞれの板状部材の縁部に壁材を嵌合できるようにする。
第２板状部材は、４角形の端部が切り欠かれた十字形状の板材でその両側中心部に凹部が設けられ、少なくとも筒体の広開口部と結合可能とされる。図では、筒体および板状部材にオスメスの継ぎ手を設けている。
第１板状部材と第２板状部材は槽の水平方向にかかる力に対向できる強度を持つように構成される。
【００１４】
筒体は、槽にかかる土被り圧に耐える強度を持たせる。筒体は、図では戴円錐形として示されているが、円錐に限らず角錐あるいは梅花状のものであってもよい。運搬貯蔵のため互いに入れ子状に積み重なる形状であればよい。
【００１５】
上記部材の材質は特に制限はないが、熱可塑性の射出成形可能なポリオレフィンなどで製造可能である。必要とする強度が樹脂では得られない場合、金属、コンクリートなど適宜使用できる。
【００１６】
上記貯留空間を図４に示すように、地下に構築し、貯留空間の周囲を浸透槽ならば透水シートで覆い、雨水の有効利用あるいは地下水の浸透を防止する目的ならば遮水シートで覆い、泥だめますあるいは沈砂池、流入管、溢流管、オリフィスますなどの付帯設備を設けることで雨水の流出抑制の目的あるいは有効利用のための貯留浸透施設として使用できることは従来の技術と変わらない。
【図面の簡単な説明】
【００１７】
【図１】は、 本発明の貯留空間の概念図である。
【図２】は、本発明の貯留空間を構築する部材の概念図である。
【図３】は、本発明の貯留空間を構築する部材の配置関係を示す図である。
【図４】は、 本発明の貯留空間を利用した雨水の貯留浸透施設の概念図である。
【図５】は、貯留部材の例を示す。
【００１８】
１  天井部材
２  第１の補助板部材
３  第２の補助板部材
４  第１の板状部材
５  第２の板状部材
６  筒体
７  壁材
８  シート
【図１】
2007332694.tif 000003
【図２】
2007332694.tif 000004
【図３】
2007332694.tif 000005
【図４】
2007332694.tif 000006
【図５】
2007332694.tif 000007